(57)【要約】【課題】空き缶等の回収作業を、楽に行うこと。【解決手段】上端開口部と下端開口部とを有して空き缶等を収容する筒状の収容部と、同収容部の下端開口部に設けて空き缶等を回収する回収部とを具備し、上記回収部は、空き缶等に押圧して前記収容部内に取り込み可能となすと井に、収容部内から下端開口部を通しての脱落を防止可能となした。従って、回収部により路上等に放置されている空き缶等を連続的に回収することにより、回収した空き缶等を順次収容部内に収容することができる。【選択図】図１
2007119243.tif 000002
【特許請求の範囲】
【請求項１】
上端開口部と下端開口部とを有して空き缶等を収容する筒状の収容部と、同収容部の下端開口部に設けて空き缶等を回収する回収部とを具備し、
上記回収部は、空き缶等に押圧して前記収容部内に取り込み可能となすと共に、収容部内から下端開口部を通しての脱落を防止可能となしたことを特徴とする空き缶等回収具。
【請求項２】
回収部は、収容部の下端開口部に、その周縁方向に間隔を開けて複数の取り込み片を取り付けて形成すると共に、
各取り込み片は、弾性素材により収容部の下端開口部からその中心部に向けて伸延する薄肉板状に形成して、空き缶等への押圧により収容部の内方へ撓み変形すると共に、同空き缶等の収容部内への取り込みにより復元して、同空き缶等が収容部内から下端開口部を通して脱落するのを防止するようにしたことを特徴とする請求項１記載の空き缶等回収具。
【請求項３】
収容部に、上下方向に伸延する棒状の把持部を着脱自在に取り付け、同把持部の先端部には空き缶等に突き刺すための突き刺し片を設けたことを特徴とする請求項１又は２記載の空き缶等回収具。
【発明の詳細な説明】
【技術分野】
【０００１】  本発明は、路上等に放置された空き缶等を回収するための空き缶等回収具に関する。
【背景技術】
【０００２】  従来、空き缶等回収具として、上下方向に伸延する棒状体の基端部に把持体を設ける一方、先端部に空き缶等を突き刺すための突き刺し体を設けたものがある（例えば、特許文献１参照）。【０００３】  そして、かかる空き缶等回収具では、把持体を把持して、路上等に放置されている空き缶等に突き刺し体を突き刺すことにより、腰を屈めることなく路上等に放置されている空き缶等を楽に回収することができるようにしている。
【特許文献１】  実開平６−５６０１６号公報
【発明の開示】
【発明が解決しようとする課題】
【０００４】  ところが、上記した空き缶等回収具では、突き刺し体に突き刺した空き缶等を、逐一取り外して回収袋や回収容器に入れなければ、次の回収作業を行うことができないという煩わしさがある。
【課題を解決するための手段】
【０００５】  そこで、本発明では、上端開口部と下端開口部とを有して空き缶等を収容する筒状の収容部と、同収容部の下端開口部に設けて空き缶等を回収する回収部とを具備し、上記回収部は、空き缶等に押圧して前記収容部内に取り込み可能となすと共に、収容部内から下端開口部を通しての脱落を防止可能となしたことを特徴とする空き缶等回収具を提供するものである。【０００６】  また、本発明は、以下の構成にも特徴を有する。
（１）回収部は、収容部の下端開口部に、その周縁方向に間隔を開けて複数の取り込み片を取り付けて形成すると共に、各取り込み片は、弾性素材により収容部の下端開口部からその中心部に向けて伸延する薄肉板状に形成して、空き缶等への押圧により収容部の内方へ撓み変形すると共に、同空き缶等の収容部内への取り込みにより復元して、同空き缶等が収容部内から下端開口部を通して脱落するのを防止するようにしたこと。
（２）収容部に、上下方向に伸延する棒状の把持部を着脱自在に取り付け、同把持部の先端部には空き缶等に突き刺すための突き刺し片を設けたこと。
【発明の効果】
【０００７】  （１）請求項１記載の本発明では、上端開口部と下端開口部とを有して空き缶等を収容する筒状の収容部と、同収容部の下端開口部に設けて空き缶等を回収する回収部とを具備し、上記回収部は、空き缶等に押圧して前記収容部内に取り込み可能となすと共に、収容部内から下端開口部を通しての脱落を防止可能となしているため、回収部により路上等に放置されている空き缶等を連続的に回収することにより、回収した空き缶等を順次収容部内に収容することができる。
従って、空き缶等の回収作業を、収容部内が空き缶等により満杯になるまで連続的に行うことができる。
この際、空き缶等の回収作業は、空き缶等に回収部を押圧するだけで簡単に回収することができるため、楽に回収作業を行うことができる。
また、回収した空き缶等は、収容部の上端開口部から適宜取り出すことにより、回収作業を継続的に行うことができる。【０００８】  （２）請求項２記載の本発明では、回収部は、収容部の下端開口部に、その周縁方向に間隔を開けて複数の取り込み片を取り付けて形成すると共に、各取り込み片は、弾性素材により収容部の下端開口部からその中心部に向けて伸延する薄肉板状に形成して、空き缶等への押圧により収容部の内方へ撓み変形すると共に、同空き缶等の収容部内への取り込みにより復元して、同空き缶等が収容部内から下端開口部を通して脱落するのを防止するようにしているため、空き缶等回収具を簡単な構造にて軽量に構成することができて、同空き缶等回収具の取り扱い性を容易化することができる。その結果、この点からも空き缶等の回収作業を楽に行うことができる。【０００９】  （３）請求項３記載の本発明では、収容部に、上下方向に伸延する棒状の把持部を着脱自在に取り付け、同把持部の先端部には空き缶等に突き刺すための突き刺し片を設けているため、回収部により空き缶等を回収し難い場合、例えば、溝や川に落ちている空き缶等を回収する場合には、収容部から棒状の把持部を取り外して、同把持部の先端部に設けた突き刺し片を空き缶等に突き刺すことにより回収し、回収した空き缶等は、収容部の上端開口部より同収容部内に収容することができる。
このように、空き缶等が放置されている状況に応じて、同空き缶等を確実に回収することができる。
【発明を実施するための最良の形態】
【００１０】  図１は、本発明に係る空き缶等回収具Ａの側面説明図、図２は、同空き缶等回収具Ａの正面説明図、図３は、同空き缶等回収具Ａの底面説明図である。【００１１】  以下に、本発明に係る空き缶等回収具Ａの構成を、図１〜図３を参照しながら説明する。
すなわち、空き缶回収具Ａは、上端開口部１と下端開口部２とを有して空き缶Ｂ等を収容する筒状の収容部３と、同収容部３の下端開口部２に設けて空き缶Ｂ等を回収する回収部４とを具備している。【００１２】  そして、収容部３は、本実施の形態では収容部本体５を円筒状に形成し、同収容部本体５の上端縁部を上方へ向けて漸次縮径させて首部５ａを形成し、同首部５ａの上端縁部を上端開口部１となす一方、収容部本体５の下端縁部より内方へ縁設して、図３に示す底面視にてリング状の張り出し縁部５ｂを形成し、同張り出し縁部５ｂの内周縁部を下端開口部２となしている。【００１３】  また、上記回収部４は、空き缶Ｂ等に押圧して前記収容部３内に取り込み可能となすと共に、収容部３内から下端開口部２を通しての脱落を防止可能となしている。【００１４】  すなわち、回収部４は、収容部３の張り出し縁部５ｂの下面に、取付片７を介して、張り出し縁部５ａの周縁方向に一定の間隔を開けて複数（本実施の形態では４枚）の取り込み片６を取り付けて形成している。【００１５】  そして、各取り込み片６は、弾性素材により収容部３の張り出し縁部５ｂから下端開口部２の中心部に向けて略水平に伸延する薄肉板状に形成して、張り出し縁部５ｂに取付片７を介して基端部６ａを固定して片持ち支持することにより、先端部６ｂ側を上下方向に撓み変形自在となしている。８は取付用ビスである。【００１６】  しかも、四枚の取り込み片６，６，６，６は、二枚が相互に対向状態となるように配置している。【００１７】  ここで、各取り込み片６は、空き缶Ｂ等の重さでは下方に撓み変形しないだけの弾性力を有する一方、下方からの押し上げ力により上方へ撓み変形する弾性力を有するものである。【００１８】  このようにして、図４（ａ）に示すように、地面Ｇに放置されている空き缶Ｂ等に四枚の取り込み片６，６，６，６を押圧させると、図４（ｂ）に示すように、空き缶Ｂ等により四枚の取り込み片６，６，６，６の先端部６ｂ，６ｂ，６ｂ，６ｂ側がその弾性力に抗して収容部本体５の内方へ撓み変形される。【００１９】  そして、空き缶Ｂ等が収容部本体５内へ取り込まれると、図４（ｃ）に示すように、撓み変形した各先端部６ｂ側が復元して、同空き缶Ｂ等を取り込み片６，６，６，６の弾性力により下方から支持して、同空き缶Ｂ等が収容部本体５内から下端開口部２を通して外部へ脱落するのを防止するようにしている。【００２０】  さらには、収容部本体５内に取り込まれた空き缶Ｂ等は、取り込み片６の復元動作の反動で上方に跳ね上げられることがあるが、同収容部本体５には縮径形状の首部５ａを形成しているため、跳ね上げられた空き缶Ｂ等は、首部５ａに当たって跳ね返され、上端開口部１から外部へ飛び出ることがないようにしている。【００２１】  また、収容部３の張り出し縁部５ｂの下面後部には、図３に示すように、薄肉板状の磁石９を取り付けており、同磁石９により回収部４では回収しにくい空き缶Ｂ等（ただし、磁石９に吸着するものに限る）を吸着して回収することができるようにしている。【００２２】  収容部３には、図１及び図２に示すように、把持部支持体１０を介して上下方向に伸延する棒状の把持部１１を着脱自在に取り付け��同把持部１１の先端部には、図５に示すように、空き缶Ｂ等に突き刺すための突き刺し片１２を設けている。１３は、把持部１１を着脱操作するための着脱操作レバーである。【００２３】  そして、把持部１１は、伸縮自在となして、適宜長さを調節することができるようにしている。【００２４】  従って、把持部１１を把持する位置を使用者の体の大きさ等に応じて適切に調節することができると共に、取り外して使用する場合、例えば、図６に示すように、溝Ｃに落ちている空き缶Ｂ等を、突き刺し片１２により突き刺して回収する場合において、把持部１１を必要な長さに伸長調節することにより、空き缶Ｂ等を確実に回収することができるようにしている。Ｍは回収作業者である。【００２５】  ここで、突き刺し片１２は、図５に示すように、把持部１１の先端面に同一軸線方向に向けて突設しており、同突き刺し片１２の周囲は、カバー体１４により被覆して、同カバー体１４の天井部１４ａに形成した突き刺し片突出孔１５より突き刺し片１２が進退自在に突出するようにしている。【００２６】  そして、カバー体１４は、上記天井部１４ａと周壁部１４ｂとからキャップ状に形成しており、同周壁部１４ｂの内周面に形成した雌ネジ部１４ｃを、把持部１１の先端部外周面に形成した雄ネジ部１１ａに螺着している。【００２７】  このようにして、カバー体１４をその軸線廻りの一方向に回転させると、図５に想像線で示すように、同カバー体１４は進出移動して、突き刺し片１２を被覆状態となすことができる一方、同カバー体１４を反対方向に回転させると、図５に実線で示すように、同カバー体１４は、後退移動して、突き刺し片１２を露出状態となすことができるようにしている。【００２８】  また、収容部３の前下部には、図１及び図２に示すように、軸支持体１６を介して左右方向に軸線を向けた転動輪支軸１７を支持させ、同転動輪支軸１７の左右側端部に左右一対の転動輪１８，１８を取り付けている。【００２９】  このようにして、図１の想像線（一点鎖線）で示すように、収容部３を前傾姿勢にして、左右一対の転動輪１８，１８を接地状態となすと共に、回収部４を非接地状態となして、把持部１１を把持して引っ張ることにより、空き缶等回収具Ａを楽に移動させることができる。【００３０】  なお、収容部３の大きさは、収容する空き缶等の量により適宜設定することができ、また、下端開口部２の大きさや取り込み片６の大きさと枚数と弾性復元力等は、回収する空き缶Ｂ等の大きさにより適宜設定することができる。
【図面の簡単な説明】
【００３１】
【図１】  本発明に係る空き缶等回収具の側面説明図。
【図２】  同空き缶等回収具の正面説明図。
【図３】  同空き缶等回収具の底面説明図。
【図４】  回収部による空き缶等の回収説明図。
【図５】  突き刺し片の説明図。
【図６】  突き刺し片による空き缶等の回収説明図。
【符号の説明】
【００３２】  Ａ  空き缶回収具
Ｂ  空き缶
Ｃ  溝
１  上端開口部
２  下端開口部
３  収容部
４  回収部
５  収容部本体
【図１】
2007119243.tif 000003
【図２】
2007119243.tif 000004
【図３】
2007119243.tif 000005
【図４】
2007119243.tif 000006
【図５】
2007119243.tif 000007
【図６】
2007119243.tif 000008